(57)【要約】      （修正有）【課題】低コストで製造することができ、かつ極めて簡単に着用できる作業用エプロンを提供する。【解決手段】作業用エプロン１００は、柔軟性を有する材料から形成され、装着者の胴部から足首付近まで覆うことが可能なエプロン本体１０と、エプロン本体の上部に設けられ、装着者の胴部に装着するためにリング状に丸まる方向に付勢されている装着部材２０とを備えている。【選択図】図１
0003183405.tif 000002
【実用新案登録請求の範囲】
【請求項１】
柔軟性を有する材料から形成され、装着者の胴部から足首付近まで覆うことが可能なエプロン本体と、
前記エプロン本体の上部に設けられ、装着者の胴部に装着するためにリング状に丸まる方向に付勢されている装着部材とを備えていることを特徴とする作業用エプロン。
【請求項２】
前記エプロン本体の下端には、外側へ所定幅を折り返した折り返し部が設けられていることを特徴とする請求項１に記載の作業用エプロン。
【請求項３】
前記エプロン本体は、下端が開口している袋状の２層構造に形成されていることを特徴とする請求項１又は２に記載の作業用エプロン。
【請求項４】
前記装着部材は、弾性を有する金属製若しくは樹脂製のワイヤー又は板状材料から形成されていることを特徴とする請求項１から３のいずれか１項に記載の作業用エプロン。
【請求項５】
前記エプロン本体は、非透水性材料から形成されていることを特徴とする請求項１から４のいずれか１項に記載の作業用エプロン。
【請求項６】
前記エプロン本体は、タオル生地から形成されていることを特徴とする請求項１から４のいずれか１項に記載の作業用エプロン。
【考案の詳細な説明】
【技術分野】
【０００１】
本考案は、水を使用した作業の際、作業者が着用する作業用エプロンに関するものである。
【背景技術】
【０００２】
従来、作業用腰下エプロンは、エプロン本体の締付紐で作業者の胴部又は腰部にしっかり結ばなければならず、装着が面倒であり、かつ作業中に締付紐が解けてしまう恐れがある等の問題点があった。これらの問題点を解決するために、重い鍋や釜を使用しながら学校や工場等の給食などが調理される際や、水を多く使用すると共に重量のあるものを扱う作業が行われる場合に、衣服の汚れを防止するために装着する水作業用腰下エプロンが提案されている（例えば、特許文献１）。
【０００３】
特許文献１に記載の水作業用腰下エプロンは、胴部から足首付近まで覆う防水性のエプロン本体の上部両側に面ファスナーを取付け、この面ファスナーより内側にギャザー部を設けると共にその各ギャザー部の表面に調節用紐を取付けるように構成されている。調節用紐には、ギャザー部の一端側に取付けられた係止部とギャザー部の他端側に取付けられたＤ形で樹脂製の紐掛輪とを備えており、係止部は面ファスナーからなるオス部とメス部を有し、オス部は調節用紐の先端に取付け、メス部はオス部から少し離して調節用紐に取付けられている。
【０００４】
この水作業用腰下エプロンの装着方法は、先ず始めにエプロン本体を身体の前側の胴部に当て、面ファスナーを固定する。この時は、片手にオス部を持ち、他方の手にメス部を持ちながら且つ前側をフィットさせて、オス部をメス部に押付けて固定する。次に調節用紐の先端を紐掛輪に通す。そして、調節用紐の先端を紐掛輪で折り返すと共に胴部がより一層フィットする位置までオス部を引張り、このオス部をメス部に押付けて固定させる。また他方の調節用紐も同様にその先端を紐掛輪に通して固定させる。この結果、エプロン本体の裏側は胴部では面ファスナーと調節用紐の係止部が係止されてウエストサイズに対応すると共にギャザー部の弾力によってもウエストサイズが対応するものとなる。
【先行技術文献】
【特許文献】
【０００５】
【特許文献１】特開２００５−２５６２２８号公報
【考案の概要】
【考案が解決しようとする課題】
【０００６】
特許文献１の水作業用腰下エプロンによれば、面ファスナーの係止位置の調節ができるため、ウエストのサイズを気にせず着用できると共に、着用時にロープ等の締付紐を結ぶ必要がなくなる。しかしながら、この水作業用腰下エプロンは、面ファスナーの押付け固定作業、及び調節用紐でウエストを調整することが必要であるため、着用は簡単ではない。また、ギャザー部の形成、調節用紐及び面ファスナーの装着等により構成が複雑になると共にコストが高くなるという問題点があった。
【０００７】
従って、本考案は従来技術の上述した問題点を解消するものであり、本考案の目的は、低コストで製造することができ、かつ極めて簡単に着用することができる作業用エプロンを提供することにある。
【課題を解決するための手段】
【０００８】
本考案によれば、柔軟性を有する材料から形成され、装着者の胴部から足首付近まで覆うことが可能なエプロン本体と、エプロン本体の上部に設けられ、装着者の胴部に装着するためにリング状に丸まる方向に付勢されている装着部材とを備えている作業用エプロンが提供される。
【０００９】
エプロン本体の上部に設けられ、装着者の胴部に装着するためにリング状に丸まる方向に付勢されている装着部材を有することで、低コストで製造することができ、従来のようなロープ等の締付紐を結ぶ作業、又は面ファスナーの押付け固定作業及び調節用紐でウエストを調整する作業が不要となり、作業用エプロンを極めて簡単に着用できる。かつ胴部にフィットすることが可能である。また、エプロン本体は、柔軟性を有する材料から形成されているため、障害なく作業でき、かつ腰部以下の衣服の汚れ等を防止することができる。
【００１０】
エプロン本体の下端には、外側へ所定幅を折り返した折り返し部が設けられていることが好ましい。これにより、エプロン本体の下端において水滴を受け止めることができ、水滴がエプロン本体を伝って足にたれるのを防止することが可能となる。
【００１１】
エプロン本体は、下端が開口している袋状の２層構造に形成されていることが好ましい。これにより、前面の外層部を持ち上げて物品を収容する収容部を形成することができ、濡れているもの（例えば、水で洗ったもの等）を運ぶことができる。
【００１２】
装着部材は、弾性を有する金属製若しくは樹脂製のワイヤー又は板状材料から形成されていることが好ましい。これにより、低コストで製造することができ、作業用エプロンを極めて簡単に着用でき、かつ胴部にフィットすることが可能である。
【００１３】
エプロン本体は、非透水性材料又はタオル生地から形成されていることも好ましい。
【考案の効果】
【００１４】
本考案によれば、エプロン本体の上部に設けられ、装着者の胴部に装着するためにリング状に丸まる方向に付勢されている装着部材を有することで、低コストで製造することができ、作業用エプロンを極めて簡単に着用できる。かつ胴部にフィットすることができる。また、エプロン本体は、柔軟性を有する材料から形成されているため、障害なく作業でき、かつ腰部以下の衣服の汚れ等を防止することができる。
【００１５】
また、エプロン本体の下端には、外側へ所定幅を折り返した折り返し部が設けられていることで、エプロン本体の下端において水滴を受け止めることができ、水滴がエプロン本体を伝って足にたれるのを防止することができる。
【００１６】
また、エプロン本体は、下端が開口している袋状の２層構造に形成されていることで、前面の外層部を持ち上げて物品を収容する収容部を形成することができ、濡れているもの（例えば、水で洗ったもの等）を運ぶことができる。
【００１７】
さらに、装着部材は、弾性を有する金属製若しくは樹脂製のワイヤー又は板状材料から形成されていることで、低コストで製造することができ、作業用エプロンを極めて簡単に着用でき、かつ胴部にフィットすることができる。
【図面の簡単な説明】
【００１８】
【図１】本考案の一実施形態における作業用エプロンの構成を概略的に示す斜視図である。
【図２】図１に示した作業用エプロンの構成を概略的に示す平面展開図である。
【図３】図１に示した作業用エプロンの装着部材の構成を概略的に示す斜視図である。
【図４】図１に示した作業用エプロンを作業者が着用した状態を示す斜視図である。
【図５】図１に示した作業用エプロンで物品を運ぶ際の使用状態を示す斜視図である。
【考案を実施するための形態】
【００１９】
以下、本考案に係る作業用エプロンの実施形態について、図を参照して説明する。
【００２０】
図１は本考案の一実施形態における作業用エプロン１００の全体の構成を示しており、図２は作業用エプロン１００の平面展開状態を示しており、図３は装着部材２０の構成を示しており、図４は作業用エプロン１００を作業者が着用した状態を示しており、同図（ａ）は着用の際に装着部材２０の両端部２１及び２２を広げた状態であり、同図（ｂ）は作業用エプロン１００が着用されている状態である。また、図５は作業用エプロン１００で物品を運ぶ際の使用状態を示している。
【００２１】
図１〜図３に示すように、本実施形態の作業用エプロン１００は、エプロン本体１０と、エプロン本体１０の上部に設けられている装着部材２０とを備えている。
【００２２】
エプロン本体１０は、柔軟性を有しかつ非透水性材料によるシート（例えば、ビニールシート）を適切な形状に切断加工したものを一部加熱溶着することにより、下端が開口している袋状の２層構造に形成されている。即ち、エプロン本体１０は、図２に示すように、加熱溶着により互いに連結された上部（ウエスト部分）の帯状部１１と、２層構造の台形部１２とから主として構成されている。帯状部１１は２重構造であり、この２重構造の帯状部１１内には、装着部材２０が挿入されている。また、台形部１２の下端には、外側へ所定幅を折り返した折り返し部１３が設けられている。折り返し部１３の端縁部は、所定間隔をおいて設けられた止め手段１４により、台形部１２の表面に固定されている。エプロン本体１０は、作業者の身長に合わせて、その胴部から足首付近まで覆うことが可能な長さに形成されている。また、図５に示すように、台形部１２の前面の外層部１２ａを持ち上げて、この外層部１２ａと背面の内層部１２ｂとが物品Ｔを収容する収容部１５を形成することができる。
【００２３】
装着部材２０は、弾性を有する金属製若しくは樹脂製のワイヤー又は板状材料から形成されている。本実施形態においては、図３に示すように、樹脂製の帯状板がリング状に丸まる方向に付勢されるように形成されており、作業者の胴部の周りに装着された際に、弾性によってその胴部を締め付けて取付けられるように構成されている。この装着部材２０は、エプロン本体１０の上部の２重構造の帯状部１１の内部に挿入されて固定されている。また、装着部材２０の両端部２１及び２２は、その弾性によって丸められ、所定長さにわたって互いに重なり合うように構成されており、これにより、作業用エプロン１００を、装着部材２０を介してフック等に掛けて収納することができる。
【００２４】
作業用エプロン１００を着用する際に、図４（ａ）に示すように、両手でエプロン本体１０の上部の帯状部１１の内部に挿入されている装着部材２０の両端部２１及び２２を左右に広げ、図４（ｂ）に示すように広げた装着部材２０の開口部からエプロン本体１０を作業者の胴部に装着することで、簡単に着用が完了する。装着部材２０の弾性により作業用エプロン１００の上部が開口部を閉じる方向の力が生じるため、胴部に容易にフィットさせることができる。作業用エプロン１００を脱ぐ時は、両手で装着部材２０の両端部２１及び２２を左右に広げて、胴部から取り外すだけで容易に外すことができる。
【００２５】
また、図５に示すように、濡れている物品Ｔ（例えば、水で洗ったもの等）を運ぶ際に、本実施形態の作業用エプロン１００によれば、エプロン本体１０の前面の外層部１２ａを持ち上げることにより、この外層部１２ａと背面の内層部１２ｂとが物品Ｔを収容する収容部１５を形成する。これにより、濡れているものを収容部１５内に収容し、その状態で両手でエプロン本体１０の下端縁部を持ち上げて容易に持ち運びすることができる。
【００２６】
このように本実施形態においては、作業用エプロン１００は、エプロン本体１０と、装着部材２０とを備えている。エプロン本体１０は、柔軟性を有し、かつ非透水性を有する材料のシートから形成され、その下端縁には、外側へ所定幅を折り返した折り返し部１３が設けられている。また、エプロン本体１０は、下端が開口している袋状の２層構造に形成されている。装着部材２０は、弾性を有する樹脂製の板状材料から形成され、装着部材２０の両端部はその弾性によって丸められ互いに重なり合うように形成されている。
【００２７】
これにより、低コストで製造することができ、従来のようなロープ等の締付紐を結ぶ作業、又は面ファスナーの押付け固定作業及び調節用紐でウエストを調整する作業が不要となり、作業用エプロン１００を極めて簡単に着用できる。かつ胴部にフィットすることができる。また、エプロン本体１０は、柔軟性を有し、かつ非透水性材料から形成されているため、障害なく作業でき、かつ腰部以下の衣服の汚れ、及び水による濡れることを防止することができる。
【００２８】
また、エプロン本体１０の下端には、外側へ所定幅を折り返した折り返し部１３が設けられていることで、エプロン本体１０の下端において水滴を受け止めることができ、水滴がエプロン本体１０を伝って足にたれるのを防止することができる。
【００２９】
また、エプロン本体１０は、下端が開口している袋状の２層構造に形成されていることで、前面の外層部１２ａを持ち上げて、この外層部１２ａと背面の内層部１２ｂとが物品を収容する収容部１５を形成することができ、濡れているもの（例えば、水で洗ったもの等）を運ぶことができる。
【００３０】
さらに、装着部材２０は、弾性を有する樹脂製の板状材料から形成され、弾性によってリング状に丸まる方向に付勢されることにより、胴部を締め付けて取付けられるように構成されており、低コストで製造することができ、作業用エプロン１００を極めて簡単に着用でき、かつ胴部にフィットすることができる。
【００３１】
なお、上述した実施形態の作業用エプロン１００において、装着部材２０が、弾性を有する樹脂製板状材料から形成されているものについて説明したが、本考案はこれに限定されるものではない。例えば、弾性を有する金属製のワイヤー又は板状材料から形成するようにしてもよい。なお、竹等植物系材料を用いて形成するようにしてもよい。
【００３２】
また、上述した実施形態の作業用エプロン１００において、エプロン本体１０はビニールシートを用いて形成したものについて説明したが、本考案はこれに限定されるものではなく、例えば防水材被覆繊維生地から形成するようにしてもよい。
【００３３】
また、上述した実施形態の作業用エプロン１００において、エプロン本体１０は、下端が開口している袋状の２層構造に形成されているものについて説明したが、本考案はこれに限定されるものではなく、例えば１層構造に形成してもよい。
【００３４】
さらに、上述した実施形態においては、エプロン本体が、柔軟性を有しかつ非透水性材料によるシートから形成されているが、エプロン本体をタオル生地で形成しても良い。タオル生地で形成することにより、装着性及び柔軟性がより良好となり、快適にかつ障害なく作業することができる。しかも、腰部以下の衣服の汚れ等を防止することもできる。
【産業上の利用可能性】
【００３５】
本考案は、水産加工、食品加工、厨房、給食、病院、清掃等の作業分野において広く使用することができる。
【符号の説明】
【００３６】
１０  エプロン本体
１１  帯状部
１２  台形部
１２ａ  外層部
１２ｂ  内層部
１３  折り返し部
１４  止め手段
１５  収容部
２０  装着部材
２１、２２  両端部
１００  作業用エプロン
【図１】
0003183405.tif 000003
【図２】
0003183405.tif 000004
【図３】
0003183405.tif 000005
【図４】
0003183405.tif 000006
【図５】
0003183405.tif 000007